Podtech/llm-jp-corpus-v4-ja_patent huggingface dataset:
(57)【要約】      （修正有）【課題】地面に打ち込み易く、しかも抜け難い金属製の測量用ネイルを提供する。【解決手段】頭部１ｂが地面から露出または面一になるように直接埋設される金属製の測量用丸型ネイル１の軸部１ａの一部に軸部の先端方向に略垂直な多数の溝２を先端部まで設けることにより地面に打ち込み易く、しかも抜け難い金属製の測量用ネイル１である。【選択図】図１
0003216630.tif 000002
【実用新案登録請求の範囲】
【請求項１】
丸型ネイルの頭部が地面から露出または面一になるように直接埋設される金属製の測量用丸型ネイルであって、該丸型ネイルの軸部の一部に軸部の先端方向に略垂直な多数の溝が先端部まで設けられてなることを特徴とする金属製の測量用丸型ネイル。
【考案の詳細な説明】
【技術分野】
【０００１】  本考案は、ネイル頭部が地面から露出または面一になるように地面に直接埋設される測量等の用途で用いられる金属製の測量用丸型ネイルに関するものである。
【背景技術】
【０００２】  従来より測量機によって２点間の距離等を測量する際には、測量を行う地点に打ち込まれた、頭部上面の中央部で交差する十字の溝が刻まれ金属製の測量用丸型ネイルが用いられる。測量する時は、該測量用丸型ネイルの頭部上面に刻まれた十字の溝の交点が測量の際の基点となる。かかる測量用丸型ネイルとしては通常軸の先端部まで複数のらせん状溝が刻まれた金属製のネイルが知られている。しかしながら、上記軸の先端部まで複数のらせん状の溝が刻まれた測量用丸型ネイルはらせん状の溝が抵抗となって地面から抜け難くなったものの、逆に地面に打ち込む場合、打ち込み作業中に丸型ネイルが曲がったり、らせん状の溝が抵抗となって地面にまっすぐ打ち込み難いという問題があった。
【先行技術文献】
【特許文献】
【０００３】
【特許文献１】特開平９−１８４７２４
【考案の概要】
【考案が解決しようとする課題】
【０００４】
【課題を解決するための手段】  したがって本考案の目的は、上記従来のらせん状溝が刻まれた金属製のネイルの問題点を解消した、地面に打ち込み易く、しかも抜け難い金属製の測量用ネイルを提供することである。【０００５】  本考案者は、上記目的を達成するため、従来の金属製の測量用丸型ネイルの形状について徹底的に検討した結果、金属製の測量用丸型ネイルの軸の一部に先端方向に略垂直な多数の溝を設けることに着目し、更に検討した結果本考案に到達したものである。【０００６】  すなわち、本考案は、丸型ネイル頭部が地面から露出または面一になるように直接埋設される金属製の測量用丸型ネイルであって、該丸型ネイルの軸部の一部に軸部の先端方向に略垂直な多数の溝が先端部まで設けられてなることを特徴とする金属製の測量用丸型ネイルである。
【考案の効果】
【０００７】  本考案によれば、測量用丸型ネイルの軸部の一部に軸の先端方向に略垂直な多数の溝を先端部まで設けることで、測量用ネイルを地面に打ち込む際に、容易にまっすぐに打ち込むことができるとともに、溝が設けられていない軸部と一部に溝が設けられているためか保持力が強く、地面から容易に抜けない。また、従来の測量用ネイルの軸部の一部に先端に垂直な多数の溝を設けるだけのため測量用ネイルも安価である。
【図面の簡単な説明】
【０００８】
【図１】  本考案の金属製の測量用丸型ネイルの斜視図である。
【図２】  測量用丸型ネイルの頭部の形状を示す平面図である。
【図３】  測量用丸型ネイルの使用状態を示す参考図である。
【考案を実施するための形態】
【０００９】  次に本考案の金属製の測量用丸型ネイルの一実施例について図面にて説明する。図１は、本考案の測量用ネイルの斜視図であり、該測量用ネイル１は地面に打ち込み易くするために先端部１ｃが鋭角になっている。該測量用ネイルの軸部１ａの一部には、軸方向に略垂直な複数の溝２が軸の先端部１ｃまで刻まれている。軸部に軸方向に略垂直な複数の溝２が設けられている部分と設けられていない部分を有することによって地面に打ち込まれた測量用ネイル１の保持力を向上させることができる。
【００１０】  該軸方向に略垂直な複数の溝２は、通常先端部１ｃから軸部の約１／３〜１／２の長さに設けると保持力が向上するが、１／３未満又は１／２を超えると保持力の向上は認められない。地面に対する保持力を向上させるために設けられる軸方向に略垂直な複数の溝２は、本実施例のような形状に限るものではなく、軸方向に略垂直な溝に格子状の刻み目を付けると更なる保持力向上が期待される。
【００１１】  図２は測量用ネイル１の頭部１ｂの形状を示す平面図であり、頭部１ｂの上面には、十字溝３が刻まれている。十字溝３の交点は、頭部１ｂの略中央部分に位置しており、十字溝３の幅Ａは通常２ｍｍ程度である。十字溝３は図１に示されるようなＶ字型の溝であり、十字溝３の溝底３ａの交点が、測量の際の基点Ｐとなる。
【００１２】  測量用ネイル１の軸径は通常４〜９ｍｍ程度になっており、頭部径は軸径に対して２〜５倍である。軸径に対して頭部径を２〜５倍とすることで、頭部１ｂに幅Ａの十字溝３を刻むことが可能となる。又、金属製の測量用ネイルは野外で使用されるため、測量用ネイルには、通常ステンレス鋼、または表面に防錆処理を施した鋼が使用される。
【００１３】  図３は本考案の金属製の測量用丸型ネイルの使用状態を示す参考図であり、測量用ネイル１は頭部１ｂを地面Ｅから露出した状態で打ち込まれている。頭部１ｂは地面と面一であってもよい。
【符号の説明】
【００１４】  １    金属製の測量用ネイル
１ａ  軸部
１ｂ  頭部
１ｃ  軸の先端部
２    略垂直な複数の溝
３    十字溝
３ａ  溝底
Ａ    溝幅
Ｐ    測量の基点
Ｅ    地面
【図１】
0003216630.tif 000003
【図２】
0003216630.tif 000004
【図３】
0003216630.tif 000005
(57)【要約】      （修正有）【課題】利便性・省力化を追求したワンタッチ封筒を提供する。【解決手段】蓋部２の折り目に２本のミシン目３を設け、蓋部２の内側にノリシロ４・ハクリ紙５を備えた。また、本体１と蓋部２の上部に同一線２本のミシン目３を設け、蓋部２の内側には、ノリシロ４・ハクリ紙５を備えた。【選択図】図１
0003216625.tif 000002
【実用新案登録請求の範囲】
【請求項１】
図１・図２の封筒蓋部２に２本のミシン目を設け、蓋部２の内側にノリシロ４・ハクリ紙５を設けたワンタッチ封筒。
【請求項２】
図３・図４の封筒本体１と蓋部２の上部に同一線２本のミシン目を設け、蓋２の内側にノリシロ４・ハクリ紙５を設けたワンタッチ封筒。
【考案の詳細な説明】
【技術分野】
【０００１】本考案は、ワンタッチ封筒に関する。
【背景技術】
【０００２】従来市販されている封筒は、洋風・和風の角型で、白無地・カラー・柄入りのものが多く使われていた。
【考案の概要】
【考案が解決しようとする課題】
【０００３】しかしながら、従来の封筒は、単に内容物を入れ、蓋部を開閉し、移送・保存するためだけのものであった。
【課題を解決するための手段】
【０００４】本考案は、従来の洋風・和風封筒において、図１・図２のように、蓋部２の折り目に２本のミシン目３を設け、蓋部２の内側にノリシロ４・ハクリ紙５を備えた。
また、図３・図４には本体１と蓋部２の上部に同一線２本のミシン目３を設けた。蓋部の内側には、ノリシロ４・ハクリ紙５を備えた。
【考案の効果】
【０００５】本考案に係るワンタッチ封筒は、図１・図２において、２本のミシン目３を取り入れることにより、キリ・ハサミ等を使わず、左右のどこからでも指だけでワンタッチ開封できる。
また、図３・図４においては、本体１と蓋部２の上部両側に同一線２本のミシン目３を取り入れることにより、その部分を折り曲げて左右どこからでも指だけで容易に開封できる。
これによって、利便性と省力化が可能になった。
【図面の簡単な説明】
【０００６】
【図１】本考案に係るワンタッチ封筒の正面図である。
【図２】本考案に係るワンタッチ封筒の正面図である。
【図３】本考案に係るワンタッチ封筒の正面図である。
【図４】本考案に係るワンタッチ封筒の正面図である。
【考案を実施するための形態】
【０００７】図１・図２に示すように、従来の洋風・和風封筒において、蓋部２の折り目に２本のミシン目３を設け、蓋部２の内側にノリシロ４・ハクリ紙５を設けた。
図３・図４は、本体１と蓋部２の上部に同一線のミシン目３を設け、蓋部２の内側にノリシロ４ハクリ紙５を取り付けた。
従来の封筒は形状・寸法等が多様であり、使途により図１・図２と図３・図４を使い分け、いずれかを選択するものとする。
【符号の説明】
【０００８】１  体部
２  蓋部
３  ミシン目
４  ノリシロ
５  ハクリ紙
【図１】
0003216625.tif 000003
【図２】
0003216625.tif 000004
【図３】
0003216625.tif 000005
【図４】
0003216625.tif 000006
【手続補正書】
【提出日】平成29年12月1日(2017.12.1)
【手続補正１】
【補正対象書類名】実用新案登録請求の範囲
【補正対象項目名】全文
【補正方法】変更
【補正の内容】
【実用新案登録請求の範囲】
【請求項１】
図１・図２封筒蓋部の折り目とその外側にミシン目を設け、また蓋部先端をノリシロ・ハクリ紙のスペースをつくり、それにより開封するときミシン目に沿って左右どこからでも指先だけで容易に開封できるワンタッチ封筒。
【請求項２】
図３・図４封筒蓋部折り目の体部と蓋部両端に同一線２本のミシン目を設け、その蓋部先端にノリシロ・ハクリ紙のスペースをつくり、それにより開封時ミシン目を折り曲げ指先だけで容易に開封でき、利便性を追求したワンタッチ封筒。
【手続補正書】
【提出日】平成30年3月12日(2018.3.12)
【手続補正１】
【補正対象書類名】実用新案登録請求の範囲
【補正対象項目名】全文
【補正方法】変更
【補正の内容】
【実用新案登録請求の範囲】
【請求項１】
封筒蓋部の折り目とその外側にミシン目を設け、また蓋部先端にノリシロ・ハクリ紙のスペースをつくり、それにより開封するときミシン目に沿って左右どこからでも指先だけで容易に開封できるワンタッチ封筒。
【請求項２】
封筒蓋部折り目の本体と蓋部両端に同一線２本のミシン目を設け、その蓋部先端にノリシロ・ハクリ紙のスペースをつくり、それにより開封時ミシン目を折り曲げ指先だけで容易に開封でき、利便性を追求したワンタッチ封筒。
(57)【要約】      （修正有）【課題】手鏡の鏡の代わりに老眼用凸レンズ体鏡を鏡の代わりに装着することで老眼鏡をしないで裸眼使用を可能にする老眼用手鏡を提供する。【解決手段】手鏡本体１の円形鏡の部分に老眼用凸レンズ体鏡４の凸面側の他方側の平面にアルミ金属を真空蒸着し、老眼用凸レンズ体鏡４に鏡の機能をもたせ手鏡本来の使用目的である至近距離における顔、また目もとや口もとを老眼鏡なしで裸眼目視を可能にしたものである。本体を構成する部品の軽減にも考慮したものである。【選択図】図１
0003216631.tif 000002
【実用新案登録請求の範囲】
【請求項１】
レンズ体と該レンズ体を取り付ける本体部とから構成される老眼用手鏡であって前記レンズ体部は一方側の面が凸状とされたレンズ体の他方側の面にアルミ金属が真空蒸着されるとともに該真空蒸着面が前記本体部に固定されていることを特徴とする老眼用手鏡である。
【考案の詳細な説明】
【技術分野】
【０００１】  本考案は、手鏡の鏡面体側に度入り老眼用レンズ体を取り付けた手関鏡に関するものである。
【考案の概要】
【考案が解決しようとする課題】
【０００２】  老眼の方はメガネをしないで鮮明に鏡で顔を見ることが至近距離では困難である。
【課題を解決するための手段】
【０００３】  逆の発想で姿を映す側の手鏡に凸状レンズ体例えば老眼用レンズ体を装着することで鮮明に見ることができる。【０００４】  度入り老眼用レンズ体の凸面側を正面、他方側をレンズ体裏面とし裏面側にアルミ金属を真空蒸着し鏡面仕上げすることで凸状レンズ体に鏡の機能を持たせることを特徴する鏡である。
【考案の効果】
【０００５】  本考案の度入り老眼用レンズ体鏡仕様の手鏡は裸眼で目もとや口もとを鮮明に見ることが出来るため化粧用には最適である。
【図面の簡単な説明】
【０００６】
【図１】本考案の手鏡の全体図である。
【図２】本考案の手鏡の分解斜視図である。
【考案を実施するための形態】
【０００７】  手鏡本体の円形鏡面体外径座と同径のレンズ体の円周を接着固定することで老眼鏡メガネを掛けないで裸眼目視が可能となる。
【０００８】  手鏡本来の使用目的である至近距離で顔を映し見ることが出来る。
【０００９】    本考案の手鏡の構成要件を説明する。
手鏡１は、棒状の支持部２とこの支持部２の一端に設けられた円形の鏡支持部３とこの鏡支持部３に接着固定される老眼用凸レンズ体鏡４とアルミ被膜保護用黒紙５で構成される。
【００１０】  上記構成において、前記鏡支持部２には円形の鏡支持部３が凹状に形成されており、ここに凸状レンズ体４が挿入固定されている。
【００１１】次に本考案の実施例に基ついて説明する。
【符号の説明】
【００１２】１  手鏡本体
２  棒状の支持部
３  鏡支持部
４  度入り老眼用凸レンズ体鏡
５  蒸着面保護用黒紙
【図１】
0003216631.tif 000003
【図２】
0003216631.tif 000004
(57)【要約】      （修正有）【課題】浴室に黒カビが発生するのを防止する防カビ用品を提供する。【解決手段】浴室内に、銀を含む繊維布又は銀メッキ繊維布又は銀メッキナイロンメッシュ１を、保水性を保つナイロン繊維やスポンジ２に重ね合わせ、その外面をナイロンメッシュ布地３で覆う構成の防カビ用品を設置する。【選択図】図１
0003216639.tif 000002
【実用新案登録請求の範囲】
【請求項１】
、
銀を含む繊維布又は銀メッキ繊維布又は銀メッキナイロンメッシュを、保水性を持つナイロン繊維やスポンジに重ね合わせ、その外面をナイロンメッシュ布地で覆うことを特徴とする浴室の防カビ用品。
【考案の詳細な説明】
【技術分野】
【０００１】本考案は銀イオンを発生させ浴室にカビが発生するのを防止する考案です。
【背景技術】
【０００２】カビ取り薬品を使用しているが約２月後にはまたカビが発生し始める
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】カビ除去の作業の減少、浴室を清潔にする。
【課題を解決するための手段】
【０００６】浴室に銀イオンを発生させその抗菌力により黒カビの発生を長期間防止する。
【考案の効果】
【０００７】カビ除去作業の減少。入浴時に当用品に湯又は水を含ませ壁に取付けるという作業の簡単さにより家事の軽減となる。
【図面の簡単な説明】
【０００８】
【図１】本考案用品の縦断面図である。
【図２】本考案用品の正面図である。
【考案を実施するための形態】
【０００９】本考案用品は水又は湯をスポンジに含ませ壁に取り付けて使用する必要があり、簡単に取り外し出来るようにプラスチック製の吸盤とナイロンひもでつなげる。
【符号の説明】
【００１０】▲１▼銀を含む繊維布又は銀メッキ繊維布又は銀メッキナイロンメッシュ
▲２▼ナイロンスポンジ又は保水性のあるナイロン繊維
▲３▼全体を包むナイロンメッシュ布地
▲４▼ビニール製の吸盤
▲５▼ナイロン繊維の紐
【図１】
0003216639.tif 000003
【図２】
0003216639.tif 000004
(57)【要約】      （修正有）【課題】製作するにあたり、刃型を作る必要がなく、多様な顧客ニーズに対応することが可能なオリジナルジグソーパズルを提供する。【解決手段】アクリル板に顧客から預かった印刷データを印刷し、顧客の要望に応じたレーザーカットデータを基に、アクリル板をレーザーカットする。レーザーカット前のアクリル板は２つの状態を有し、ひとつは、ラベル紙１に好みの印刷データで印刷を施し、所定のアクリル板２に貼り付けた状態であり、あとひとつは、アクリル板に直接印刷を施された状態である。どちらかの方法により貼り付けられたオリジナルジグソーパズルのアクリル板を、お好みの形にレーザーカットを行いジグソーパズルを作り出す。【選択図】図１
0003216700.tif 000002
【実用新案登録請求の範囲】
【請求項１】
アクリル板に好みの画像が直接印刷され、レーザーカットすることにより製作されるオリジナルジグソーパズル。
【請求項２】
ラベル紙に好みの画像を印刷しアクリル板に貼り付け、レーザーカットする事により製作されるオリジナルジグソーパズル。
【請求項３】
レーザーカットされたアクリル製オリジナルジグソーパズルの裏面に、両面テープ等の接着物を貼り付けることにより、インテリアとしても利用されるアクリル製オリジナルジグソーパズル。
【考案の詳細な説明】
【技術分野】
【０００１】
本考案は、ジグソーパズルのピースの大きさや形を自由に設計し、顧客のニーズを満たすために開発されたアクリル製オリジナルジグソーパズルである。
【背景技術】
【０００２】
今までに、自由な大きさのピースや自由な形のピースの組み合わせによる、アクリル製のオリジナルジグソーパズルは存在しない。
【０００３】
顧客の中には、ジグソーパズルは大変好きであるが、自分の顔が切れたりするのが大変嫌だという顧客も存在する。この事により、オリジナルジグソーパズルの需要を若干減らしている原因にもなっている。
【０００４】
結婚披露宴などでオリジナルジグソーパズルを製作したいが、参加人数と同じ数のピース数の刃型がなく注文したくても、断念する顧客が今まで多数存在した。
【考案の概要】
【考案が解決しようとする課題】
【０００５】
オリジナルジグソーパズルを製作するにあたり、紙ベースのジグソーパズルで顧客の多様なニーズに答えるためには、それぞれニーズにあった刃型を作る必要があり、ほぼ解決不可能な問題である。従って、アクリル板に印刷を施しレーザーカットすることにより、多様な顧客ニーズに対応することが可能になり、前述の欠点を解決しようとするものである。
【課題を解決するための手段】
【０００６】
本考案は、アクリル板に顧客から預かった印刷データを印刷し、顧客の要望に応じたレーザーカットデータを基に、アクリル板をレーザーカットする。この事により、多様な顧客ニーズに応じたオリジナルジグソーパズルを製作することが可能になり、問題点を解決している。
【０００７】
レーザーカット前のアクリル板の状態は２つの状態が考えられる。ひとつは、ラベル紙に好みの印刷データで印刷を施し、ラベル紙を所定のアクリル板に貼り付けた状態(図１符号１）。あとひとつの状態は、アクリル板に直接印刷を施された状態である（図１符合３）。
【０００８】
０００７のどちらかの方法により貼り付けられたオリジナルジグソーパズルのアクリル版を、お好みの形にレーザーカットを行いジグソーパズルを作り出すことにより、課題を解決する。
【考案の効果】
【０００９】
今まで大きなオリジナルジグソーパズルを製作することは出来なかったが、アクリル板を自由にレーザーカットすることにより、無限大にオリジナルジグソーパズルの製作が可能になる。このことにより、オリジナルジグソーパズルの需要は広がり、顧客の多様的な要望に応じることが出来るようになる。
【図面の簡単な説明】
【００１０】
【図１】アクリル製オリジナルジグソーパズル全体図
【図２】一般的なピース形状と壁に貼り付けた状態
【図３】ラベル印刷紙を貼り付け、レーザーカットした状態
【図４】顔が切れないピースの一例
【図５】アクリル板直接印刷例
【考案を実施するための形態】
【００１１】
顧客より提供された画像を、ラベル紙に印刷し(符号１）アクリル板（符号２）に貼り付ける。もしくはアクリル板に直接印刷する（符号３）。印刷工程が終わったアクリル板を、レーザーカットにより好みの曲線や直線カットする。この事により、アクリル製オリジナルジグソーパズルが完成する(図３）。レーザーカットが出来る大きさのアクリル板はカットする事ができるので、ジグソーパズルを組み合わせることにより巨大なアクリル板ジグソーパズルが製作可能である。また、ピースの裏側に両面テープなどを付けることにより、インテリアとして壁などに貼り付けることも可能である。（図２）
【実施例】
【００１２】
以下、添付図面に従って一実施例を説明する。図３はアクリル板オリジナルジグソーパズルが組みたった本体である。ピースの中に、メッセージが書き込める様なピース（符号６）や、顔が切れていないピース（符号７）などを組み込む事によって、顧客の多様な要望に答える事ができる。（図２）は、一般的なジグソーパズルの形状である。印刷の方法は印刷したラベル紙をアクリル板の表面に貼る方法（符号１）と、アクリル板の裏面（符号３）に印刷を施し上部からピースを見ることにより鮮やかに画像を表現する方法がある（図５  符号８）。
【００１３】
アクリル製オリジナルジグソーパズルの実施例として、ピースの裏側に両面テープなどを貼り、壁などに貼り付けてインテリアとして利用する事もできる。（図２）
【符号の説明】
【００１４】
１  アクリル板に貼り付けるラベル印刷紙
２  アクリル板（厚み２ｍｍ）
３  アクリル板裏面に直接印刷
４  一般的なピース形状と壁に貼りつけ例
５  アクリル板にラベル印刷紙を貼り付けレーザーカットした例
６  メッセージ書き込めるピースの例
７  顔が切れないように工夫されたピースの例
８  アクリル板裏面に印刷した例
【図１】
0003216700.tif 000003
【図２】
0003216700.tif 000004
【図３】
0003216700.tif 000005
【図４】
0003216700.tif 000006
【図５】
0003216700.tif 000007
(57)【要約】      （修正有）【課題】製造が容易であり、熟練を必要とせずにランダム模様の塗装を作業者の負担を軽減して効率よく行うことができる塗装用ローラーを提供する。【解決手段】毛羽立てた周面を有するアンダーカーペット４を有する塗装用ローラー１であって、該塗装用ローラー１を把持部５の先端に回転自在に支持する。【選択図】図１
0003216613.tif 000002
【実用新案登録請求の範囲】
【請求項１】
アンダーカーペットを毛羽立てた周面を有することを特徴とする塗装用ローラー。
【請求項２】
アンダーカーペットを毛羽立てた周面を有する塗装用ローラーを把持部の先端部に回転自在に支持してなることを特徴とする塗装用ローラー。
【請求項３】
前記アンダーカーペットがウレタンチップファームであることを特徴とする請求項１又は２に記載の塗装用ローラー。
【考案の詳細な説明】
【技術分野】
【０００１】
本考案は、建築物、建造物等の内外壁の塗装に用いられる塗装用ローラーに関する。
【背景技術】
【０００２】
従来、建築物、建造物等の内外壁を塗装する塗装用ローラーブラシとして、熱可塑性合成樹脂製の多数条フィラメントを夫々コイル状に捲回してその下面を横倒し向きの重合密集層に形成し、ループの交差部を熔着して上面を不規則状態に起立開放させて成形したコイル状ループの集合体からなるマット状の塗料含浸体を、芯管の外周面に捲着接合したことを特徴とする塗装用ローラーブラシが提案されている（特許文献１）。
【先行技術文献】
【特許文献】
【０００３】
【特許文献１】実開平７−９４６１号公報
【考案の概要】
【考案が解決しようとする課題】
【０００４】
前記の塗装用ローラーブラシは、凹凸部を有する被塗装面の凹部に対しても、塗料を均一に塗布することが可能であると共に、塗装表面に立体的な曲線模様（レリーフ）を顕現させることが可能であるとしている。
【０００５】
しかし、多数条のフィラメントを夫々コイル状に捲回すること、その下面を横倒し向きの重合密集層に形成すること、ループの交差部分を溶着して上面を不規則状態に起立開放させて成形したコイル状ループの集合体から成るマット状の塗料含浸体を形成すること、など製造に手数を要するものであった。
【０００６】
本考案は、製造が極めて容易であり、ランダム模様の形成が容易な塗装用ローラーを提供することを目的とする。従来、ランダム模様の形成には平面状の専用パッドが用いられ、該専用パッドにより建造物等の内外壁面を叩いて形成していたが、熟練を要するとともに作業性及び作業者の負担に問題があった。本考案は、熟練を必要とせずにランダム模様の塗装を作業者の負担を軽減して効率よく行うことができる塗装用ローラーを提供することを目的とする。
【課題を解決するための手段】
【０００７】
前記の目的を達成する本考案の塗装用ローラーは、アンダーカーペットを毛羽立てた周面を有することを特徴とする（請求項１）。
【０００８】
前記アンダーカーペットは、クッション材、吸音材、内装材等に使用されており、樹脂、その他のフィラメントで構成されている。したがって、毛羽立てることによりフィラメントが起毛してブラシ状に変化させられる。なお、毛羽立ては金属製のワイヤーブラシによりアンダーカーペットの表面を引っ掻くことにより行うことができ、その他、治具、装置を用いても行うことができる。
【０００９】
また、前記アンダーカーペットの毛羽立ては、接着剤を介して中空芯材の周面にアンダーカーペットを張り合わせた後にも行うことができ、また、先にシート状のアンダーカーペットを毛羽立てた後に中空芯材の周面に接着剤を介して張り合わせても行うことができる。
【００１０】
本考案によれば、前記従来の塗装用ローラーブラシのように適数条のフィラメントを夫々コイル状に捲回することも、その下面を横倒し向きの重合密集層に形成することも、ループの交差部を溶着することも必要としない。したがって、製造が容易である。
【００１１】
本考案の実施の一形態は、アンダーカーペットを毛羽立てた周面を有する塗装用ローラーを把持部の先端に回転自在に支持したことを特徴とする（請求項２）。この実施例によれば作業者は把持部を手に持って塗装用ローラーを内外壁に添って転がして迅速に作業を行うことができる。
【００１２】
本考案の実施の一形態は、前記アンダーカーペットがウレタンチップフォームであることを特徴とする（請求項３）。この実施例よれば、ウレタンフォームに比べて多硬度を有するため綺麗なランダム模様を得ることができる。
【考案の効果】
【００１３】
本考案の塗装用ローラーによれば、製造が容易であり、熟練を必要とせずにランダム模様の塗装を作業者の負担を軽減して効率よく行うことができる。
【００１４】
以上、本考案について簡潔に説明した。更に、以下に考案を実施するための最良の形態を添付の図面を参照して詳細に説明する。
【図面の簡単な説明】
【００１５】
【図１】本考案の実施形態による塗装用ローラーの一部断面図である。
【考案を実施するための形態】
【００１６】
以下、本考案の実施の形態による塗装用ローラーについて図面を参照して説明する。
【００１７】
図中、１は本考案の塗装用ローラーであり、中空芯材２の周面に接着剤３を介してアンダーカーペット４、好ましくはウレタンチップファームが設けられている。
【００１８】
図中、５は把持部であり、前記塗装用ローラー１は把持部５の先端に支持体６及び軸受７を介して回転自在に支持される。この形態において、作業者は把持部５を手に持って前記塗装用ローラー１を内外壁に添って転がして迅速に作業を行うことができる。
【００１９】
なお、前記アンダーカーペット４の毛羽立ては、図示の中空芯材２に接接着剤３を介して張り合わせた状態で行ってもよく、また、先にシート状のアンダーカーペットを毛羽立てた後に中空芯材の周面に接着剤３を介して張り合わせて行ってもよい。
【産業上の利用可能性】
【００２０】
本考案の塗装用ローラーによれば、製造が容易であり、熟練を必要とせずにランダム模様の塗装を作業者の負担を軽減して効率よく行うことができ、労働生産性を上げられることからも産業上の利用可能性は大である。
【符号の説明】
【００２１】
１  塗装用ローラー
２  中空芯材
３  接着剤
４  アンダーカーペット
５  把持部
【図１】
0003216613.tif 000003
(57)【要約】【課題】指先を強く洗浄することが要求される場合にも対応できる着脱可能なつけ爪を提供すること。【解決手段】本実施形態に係る着脱可能なつけ爪１０は、指先に嵌めるためのリング部３０と、つけ爪部２０及びこのつけ爪部２０に施された装飾部４０とから構成されている。この着脱可能なつけ爪１０をリング部３０から指先に差し込むことで（図１の矢印方向）、指先に装着することができる。すなわち、リング部３０に指先を差し込むことによって、指先に装着する。一方、この着脱可能なつけ爪１０は、指先側へ引っ張ることで、簡単に取り外すことができる。【選択図】図１
0003216690.tif 000002
【実用新案登録請求の範囲】
【請求項１】
ユーザの指先に装着するためのリング部と、このリング部に固定され、ユーザの爪のサイズに対応し、各種装飾を施すことができるつけ爪部と、このつけ爪部に付加された装飾部とからなることを特徴とする着脱可能なつけ爪。
【考案の詳細な説明】
【技術分野】
【０００１】
本考案は、着脱可能なつけ爪に関し、より詳しくは、指輪のように、必要時のみ付けて、不要時には取り外しが簡単にできるつけ爪に関する。
【背景技術】
【０００２】
近年、手足のネイルの表面を図柄で装飾するおしゃれが流行している。これらの装飾は、ネイルアートと呼ばれ、マニキュアやジェル（紫外線により硬化する樹脂）を自爪やネイルチップ（つけ爪）表面に塗布することにより形成される。
ネイルアートの実施は、ネイルサロンと呼ばれる専門の店舗で専門スタッフが施術したり、あるいは、ネイルデザインのセットを購入し、版画の原理で自ら図柄をネイル上に転写したりすることにより行われている。
このようなネイルアートに関する技術として、特許文献１のネイルプリント装置及びネイルプリント装置の印刷方法がある。
この技術は、描画ヘッドをユーザのネイル上で駆動することにより、ネイル上に図柄を自動的に形成するものである。
ネイルプリント装置は、高価であるため一般的に店舗に設置されて運用されている。そのため、ユーザは、ネイルプリント装置が設置された店舗に赴き、予めネイルプリント装置で用意されたデザインから好みのものをその場で選択して施術してもらっている。
【０００３】
しかし、このネイルアートを一旦実施すると、施術の仕方にもよるが、何週間かその状態を維持するためには、なるべく強く洗浄することは控えることが要求されていた。そのため、ユーザは清潔性の維持に特に気をつけなければならなかった。
また、料理人等、指先の清潔が特に要求される職業では、ネイルアートを施すことを断念せざるをえなかった。
【先行技術文献】
【特許文献】
【０００４】
【特許文献１】特開２０１７−１２８１３４号公報
【考案の概要】
【考案が解決しようとする課題】
【０００５】
そこで、本考案は、指先を強く洗浄することが要求される場合にも対応できる着脱可能なつけ爪を提供することを目的とする。
【課題を解決するための手段】
【０００６】
本考案は、前記目的を達成するために、請求項１に記載の考案では、ユーザの指先に装着するためのリング部と、このリング部に固定され、ユーザの爪のサイズに対応し、各種装飾を施すことができるつけ爪部と、このつけ爪部に付加された装飾部とからなることを特徴とする着脱可能なつけ爪を提供する。
【考案の効果】
【０００７】
本考案によれば、つけ爪を必要なときに付け、不要なときに外すことができるので、シチュエーションに応じてネイルアートを楽しむことができる。
【図面の簡単な説明】
【０００８】
【図１】着脱可能なつけ爪の外観を示した図である。
【図２】着脱可能なつけ爪のリング部側から見た外観を示した図である。
【図３】着脱可能なつけ爪を実際に指に付けたところを示した図である。
【考案を実施するための形態】
【０００９】
（１）実施形態の概要
本実施形態に係る着脱可能なつけ爪１０は、指先に嵌めるためのリング部３０と、つけ爪部２０及びこのつけ爪部２０に施された装飾部４０とから構成されている。
この着脱可能なつけ爪１０をリング部３０から指先に差し込むことで（図１の矢印方向）、図３に示すように、指先に装着することができる。すなわち、図２に示すリング部３０に指先を差し込むことによって、指先に装着する。
一方、この着脱可能なつけ爪１０は、指先側へ引っ張ることで、簡単に取り外すことができる。
【００１０】
（２）実施形態の詳細
図１は、着脱可能なつけ爪の外観を示した図であり、図２は、着脱可能なつけ爪のリング部側から見た外観を示した図であり、図３は、着脱可能なつけ爪を実際に指に付けたところを示した図である。
着脱可能なつけ爪１０を構成するリング部３０は、着脱可能なつけ爪１０をユーザの指先に固定する働きをする。リング部３０は、金属製で、完全なリング状であってもよいし、図１および図２に示すように、先が開いている形状（不完全リング状）であってもよい。
このリング部３０を指先に差し込んだ（装着した）状態を図３に示してある。
【００１１】
つけ爪部２０は、リング部３０の内側に固定されている。そのため、リング部３０に指先を差し込むことで、スムーズに指の爪に対応する位置に設置される。すなわち、つけ爪部２０のサイズは、人の爪の大きさにほぼ対応している。
このつけ爪部２０には、種々の装飾が施されており、図３に示すように、丁度、あたかも爪自体に装飾を施したように見える。
すなわち、この着脱可能なつけ爪１０の特徴は、あたかも、ユーザ本人の爪に装飾を施しているように装うことができることである。
つけ爪部２０に施す装飾は、例えば花柄などのデザインや、幾何学的な模様であってもよいし、単色であってもよい。また、アニメ−ションやゆるキャラ等のキャラクターであってもよい。
【００１２】
装飾部４０は、つけ爪部２０に付加的に付け加えた装飾であり、必ずしも必須の構成要素ではないが、装飾性をより増す働きをしている。
具体的には、宝石に似せた例えばプラスチック製の模石などがある。また、光沢を有する小石状の付加物であってもよい。
【００１３】
本実施形態に係る着脱可能なつけ爪１０によれば、簡単に着脱できるため、必要なときに装着し、不要なときに取り外すことができる。
そのため、ユーザの置かれているシチュエーションに応じて使い分けができる。
例えば、料理人など、頻繁に手を洗浄する必要があるユーザは、仕事中は着脱可能なつけ爪１０を取り外して仕事をこなし、オフ時には、着脱可能なつけ爪１０を装着して、ネイルアートを楽しむことができる。
【００１４】
なお、図３に示した例では、１本の指にのみ着脱可能なつけ爪１０の装着例を示しているが、これに限定されることはない。すなわち、各指例えば４本、あるいは５本全部に装着してもよい。さらに、片手のみ、又は両手に装着するようにしてもよい。
このとき、指毎に装飾を変化させてもよい。
【符号の説明】
【００１５】
１０  着脱可能なつけ爪
２０  つけ爪部
３０  リング部
４０  装飾部
【図１】
0003216690.tif 000003
【図２】
0003216690.tif 000004
【図３】
0003216690.tif 000005
(57)【要約】      （修正有）【課題】紙煙草の火種を揉み消すことなく消し、再飲及び携帯出来る節煙のための喫煙具を提供する。【解決手段】紙煙草を少し吸って喫煙に対する満足感があったら、挿入リング２を紙煙草の火種部分に移動し紙煙草１の火種を覆い再飲ホルダー３に挿入、さらに残りの紙煙草を押し込み再飲ホルダー内で消火、さらに匂い防止用キャップ４を再飲ホルダーから移動し取り付け携帯する。挿入リング内面には、紙煙草を傷つけることなく移動し固定できる半球の突起２ａを設けた。【選択図】図１
0003216642.tif 000002
【実用新案登録請求の範囲】
【請求項１】
紙煙草に再飲ホルダーに容易に挿入できる挿入リングを挿入して喫煙し、紙煙草の長さの途中で満喫したら挿入リングを火種部分に移動して火種を覆い再飲ホルダーに挿入して残りの紙煙草を押し込み再飲ホルダー内で消火後匂い防止キャップを取り付けて携帯、再飲及び灰皿にも出来る節煙のための喫煙具。
【請求項２】
請求項１の挿入リング内面には紙煙草を傷つけることなく移動し固定できる半球の突起を設けた喫煙具。
【考案の詳細な説明】
【技術分野】
【０００１】  本考案は、紙煙草を揉み消すことなく消火し再飲できる節煙のための喫煙具に関すものである。
【背景技術】
【０００２】  節煙したい人でも販売されている紙煙草の長さ分吸って揉み消して灰皿等に捨てている。
【先行技術文献】
【特許文献】
【０００３】
【特許文献１】特開平０６−２３７７４８  公報  この発明は、通常の巻きタバコの外周面に不燃紙よりなる管体状の消火リングをスライド状態に環設して、喫煙時には消火リングをフィルター側に位置させ、喫煙後にタバコの火の側に移動させて火を消し得るようにした。
【考案の概要】
【考案が解決しようとする課題】
【０００４】  紙煙草を吸ったあと紙煙草の火を消すときは消火リングを火の部分に移動し消すことができる消火リングが提供されているが、再飲を考えると消火リングでの消火は紙煙草の煙に含まれるタールが消火リングに急冷却され消火リング内面の紙煙草が茶色に変色する。嗜好品のため再飲の時に違和感を与える。前述の問題点の解決と、再飲について新規考案するものである。
【課題を解決するための手段】
【０００５】  本考案は、再飲することが出来るように片側密閉で紙煙草に接しない再飲ホルダーを設け挿入ホルダーで火種を覆い安全に再飲ホルダーに挿入後、吸った紙煙草を押し込み消火する、消火後は匂い防止キャップをして携帯する。
挿入リングの内面は紙煙草を傷つけることなく移動し固定できる半球の突起を設けて、再飲ホルダーと挿入リングで問題点を解決している。
【考案の効果】
【０００６】  紙煙草を揉み消すこともなく、揉み消し後の有害な煙が無くなり一度吸った煙草の匂いを防止しているため携帯時匂いが感じない。また、紙煙草を任意な位置で消せるため節煙効果も期待でき、紙煙草のポイ捨てが無くなる。
【図面の簡単な説明】
【０００７】
【図１】本考案の再飲ホルダーの全体図の軸断面図である。
【図２】喫煙及び再飲ホルダーに挿入リング挿入の状態図である。
【図３】残りの紙煙草押し込み、携帯（匂い防止キャップ位置）の状態図である。
【考案を実施するための形態】
【０００８】  紙煙草を吸う前に金属または非金属の挿入リングを吸い口近に挿入して喫煙し、消す場合は挿入リングを火種に移動し火種を覆った状態で金属または非金属の再飲ホルダーに挿入したのち紙煙草を押し込む。再飲ホルダー内の空気は押し込んだ紙煙草の容積分隙間から排出され残った空気の酸素が無くなった時点で紙煙草は極端なタールを析出することなく消える。
匂い防止用キャップを取り付け再飲のためにポケット等に携帯する。
挿入リングは紙煙草の火種を直接再飲ホルダーに挿入すると火種を落とし火傷、火災を防止し再飲ホルダーに容易に且つ安全に挿入するための挿入リングで内側は半球の突起を設け任意の位置に移動及び固定出来るようにしていることと同時に、紙煙草との接触面積を小さくし急冷却によるタールの析出を抑えている。
【実施例】
【０００９】  以下、添付図面に従って実施例を説明する。図１は新しい紙煙草を再飲ホダーに挿入した軸断面図で、煙草１、挿入リング２、挿入リング内面の半球突起２ａ、再飲ホルダー３、匂い防止キャップ４である。
喫煙時は再飲ホルダー３から挿入リング２が挿入された紙煙草１を取り出し吸い口調整し喫煙する。【００１０】  図２は喫煙から再飲ホルダー挿入の状態図で、挿入リングは吸い口調整した位置で喫煙し、消す場合は挿入リングを火種部分に移動し再飲ホルダーに挿入。【００１１】  図３は残りの紙煙草を再飲ホルダーに挿入、匂い防止キャップ取り付け携帯する状態図で、残りの紙煙草を密閉の再飲ホルダーに押し込むことにより紙煙草は消え、再飲ホルダイーに付いている匂い防止キャップを取り外し吸い口に取り付け携帯する。
【符号の説明】
【００１２】１    紙煙草
２    挿入リング
２ａ  半球の突起
３    再飲ホルダー
４    匂い防止用キャップ
【図１】
0003216642.tif 000003
【図２】
0003216642.tif 000004
【図３】
0003216642.tif 000005
(57)【要約】【課題】  本考案は、ピンズ式装身具の装飾品をワイシャツに装着したときに発生すピン跡に代えて、ピンズ式装飾品用の孔を予め作る。  このピンズ式装飾品用の孔が目立たないようにするピンズ式装身具用の隠し孔を提供する。【解決手段】  ワイシャツ襟（１）のピンズ式装飾品（４）を刺そうとするところにミシン刺繍（３）を施し、そのミシン刺繍内に直径１ミリ程度のピンズ式装飾品用孔（２）を目立たないように設けることを特徴とする。【選択図】図１
0003216643.tif 000002
【実用新案登録請求の範囲】
【請求項１】
ワイシャツ襟（１）のピンズ式装飾品（４）を刺そうとするところにミシン刺繍（３）を施し、そのミシン刺繍の中に直径１ミリ程度のピンズ式装飾品用の孔（２）を目立たないように設けることを特徴とするワイシャツ襟に付けるピンズ式の装身具用の隠し孔。
【考案の詳細な説明】
【技術分野】
【０００１】  本考案は、ワイシャツの襟にピンズ式の装身具の装飾品を装着したときに発生するピン跡に代えて、ピンズ式装飾品用の孔を予め作る。
このピンズ式装飾品用の孔が目立たないように目隠しを施すピンズ式装身具用の隠し孔に関するものである。
【背景技術】
【０００２】  クールビズの季節に入ると、襟元の開放感と引き替えに、男性の胸元を飾る唯一のファッションであるネクタイを締めたときの凛々しさや華やかさが失われてしまった。
本考案は、襟元の開放感は、そのままで、ワイシャツの襟にピンズ式の装飾品でアクセントを付け、爽やかなファッションを呼び戻すためのものである。
【先行技術文献】
【特許文献】
【０００３】
【特許文献１】実開平５−９６００１号公報
【考案の概要】
【考案が解決しようとする課題】
【０００４】（イ）ピンズ式の装飾品をワイシャツの襟に、そのまま装着すると襟生地にピン跡が残る。
（ロ）小さなピン跡でも以外と目立ちやすい。
（ハ）装飾品のピンを同じ場所に刺すことは難しい。
（ニ）使用回数が増える毎に、ピン跡の数も増え襟生地自体へのダメージが大きくなる。
（ホ）大きくなったピン跡のためシャツの使用が不可能となる。
本考案は、以上の問題点を解決しようとするものである。
【課題を解決するための手段】
【０００５】  ピンズ式の装飾品（４）を付けようとするワイシャツ襟（１）のところにミシン刺繍（３）を施し、その刺繍の中にピンズ式装飾品用の孔（２）を目立たないように設ける。
以上のように構成されたワイシャツ襟に付けるピンズ式装身具用の隠し孔。
【考案の効果】
【０００６】  本考案は、ワイシャツの襟に専用の隠し孔を設けることにより、ピンズ式装飾品が使い易くなり、着用する人自身の手でＴＰＯに応じての雰囲気作りや遊び心の演出の自由度が大きくなる。
【図面の簡単な説明】
【０００７】
【図１】  本考案の構成を示した説明図である。
【考案を実施するための形態】
【０００８】  以下、本考案の実施の形態を説明する。
（イ）ワイシャツの襟（１）のピンズ式装飾品（４）を刺そうとするポジションに、装飾  品より一回り小さなサイズのミシン刺繍（３）を施す。
（ロ）次に、直径１ミリ程度のピンズ用の孔（２）を目打ちする。
目打ちとは、ハトメ処理などの生地自体を孔状に切るのではなく、生地の紡糸と紡    糸との間を押し広げるものである。
（ハ）ミシン刺繍（３）は、目立たない同系色、目立つ色彩や様々な模様が考えられる。
（ニ）ミシン刺繍（３）の糸は、刺したピンズ式装飾品のピンにより切断でなく逃げる動    きをするため刺繍は保持される。
ピンズ式の装飾品（４）をそのままで使った場合、シャツの襟生地にピン跡が残る。
傷跡が残るなら、予め目隠した専用のピンズ式装飾品用の孔（２）を設ける。
まず、ピンズ式装飾品（４）を刺そうとするポジションに、装飾品より一回り小さなサイズのミシン刺繍（３）を施す。
次にミシン刺繍の中に直径１ミリ程度の小さなピンズ式装飾品用の孔（２）を目打ちする。この孔はミシン刺繍で目隠し状態を呈する。
この目隠しをしたピンズ式装飾品用の孔（２）を利用すれば、ピンズ式の装飾品（４）のピン刺しは、一定のポイントに刺せ、襟生地へのダメージ範囲を限定できる。
以上を特徴とするワイシャツの襟に付けるピンズ式装身具用の隠し孔である。
【符号の説明】
【０００９】    １  ワイシャツの襟
２  ピンズ用の孔
３  ミシン刺繍
４  ピンズ式の装飾品
【図１】
0003216643.tif 000003
【手続補正書】
【提出日】平成25年11月14日(2013.11.14)
【手続補正１】
【補正対象書類名】特許請求の範囲
【補正対象項目名】全文
【補正方法】変更
【補正の内容】
【特許請求の範囲】
【請求項１】
マスクレス方式の露光装置であって、
基板本体の表面から裏面へ貫通して設けられたアライメントマークを有する基板を保持するステージと、
投影光学系を介して前記基板の表面及び裏面にパターンの像を示す露光光をそれぞれ露光するパターン生成部と、
前記表面及び前記裏面の両面において前記露光の位置基準となる前記アライメントマークを、前記投影光学系を介して検出するアライメント系と、
前記アライメント系の検出結果に基づいて前記投影光学系に対する前記基板の相対位置を管理する制御部と、
を備える露光装置。
【請求項２】
前記アライメント系は、
前記露光の位置基準を検出するために前記アライメントマークに対して検出光を射出するアライメント用光源と、
前記投影光学系及び前記アライメントマークを介した前記検出光を検出する検出部と、
を備える、請求項１に記載の露光装置。
【請求項３】
前記アライメント系は、前記アライメントマークを介した前記検出光を反射する反射部を備える、
請求項２に記載の露光装置。
【請求項４】
前記露光光を反射し前記検出光を透過させる第１の光学部品と、
前記検出光の一部を反射して前記検出光の他の一部を透過させる第２の光学部品と、
を備える、
請求項２又は３に記載の露光装置。
【請求項５】
露光対象の基板に回路パターンを露光する露光部と、
前記基板を貫通して設けられ、前記露光の位置基準となるアライメントマークに光を通して前記基板の位置を検出するアライメント系を備える、露光装置。
【請求項６】
前記アライメント系は、前記光を射出する光学部材と、前記光学部材から射出されて前記アライメントマークを通った前記光を反射させる反射部とを備える、
請求項５に記載の露光装置。
【請求項７】
前記反射部は、前記光を前記アライメントマークに向けて折り返す、
請求項６に記載の露光装置。
【請求項８】
前記アライメント系は、反射部の反射面が前記光学部材の光軸に直交し、前記反射部で反射して前記光学部材を経由した前記光を検出する検出部をさらに備える、
請求項６または請求項７に記載の露光装置。
【請求項９】
前記基板は裏面に回路パターンを備え、前記アライメント系の検出情報に基づいて、前記裏面の回路パターンの位置情報を検出可能である、
請求項５から請求項８のいずれか一項に記載の露光装置。
【請求項１０】
請求項１〜９のいずれか一項に記載の露光装置を用いて基板に露光することと、
露光された前記基板を現像することとを含んでいる、デバイス製造方法。
【請求項１１】
基板本体を貫通する３以上のアライメントマークを有する、デバイス製造用の基板。
【請求項１２】
前記アライメントマークの１以上が前記基板本体の外周に設けられている、
請求項１１に記載の基板。
【請求項１３】
前記アライメントマークの１以上が前記基板本体の外周から離れた位置に設けられている、
請求項１１又は１２に記載の基板。
【請求項１４】
基板本体の表面から裏面へ貫通して設けられ、前記表面及び前記裏面の両面において露光の位置基準となるアライメントマークを有する基板を保持することと、
投影光学系を介して前記基板の表面及び裏面にパターンの像を示す露光光をそれぞれ露光することと、
前記基板の表面に前記露光光を露光するときに、前記表面を前記投影光学系に向けて前記基板を保持させた後、前記投影光学系を介して前記アライメントマークを含む前記表面に検出光を入射させて前記投影光学系に再度入射した前記検出光を検出することと、
前記基板の裏面に前記露光光を露光するときに、前記裏面を前記投影光学系に向けて前記基板を保持させた後、前記投影光学系を介して前記アライメントマークを含む前記裏面に前記検出光を入射させて前記投影光学系に再度入射した前記検出光を検出することと、
を含む露光方法。
【請求項１５】
前記検出光の検出結果に基づいて前記投影光学系に対する前記基板の相対位置を管理すること、を含む、
請求項１４に記載の露光方法。
【請求項１６】
請求項１４又は請求項１５に記載の露光方法を含む、デバイス製造方法。
【手続補正２】
【補正対象書類名】明細書
【補正対象項目名】発明の名称
【補正方法】変更
【補正の内容】
【発明の名称】露光装置、露光方法、基板、及びデバイス製造方法
【手続補正３】
【補正対象書類名】明細書
【補正対象項目名】０００１
【補正方法】変更
【補正の内容】
【０００１】
本発明は、露光装置、露光方法、基板、及びデバイス製造方法に関する。
【手続補正書】
【提出日】平成26年8月18日(2014.8.18)
【手続補正１】
【補正対象書類名】特許請求の範囲
【補正対象項目名】全文
【補正方法】変更
【補正の内容】
【特許請求の範囲】
【請求項１】
第１の導電層を覆って設けられた第１の絶縁層上に、半導体層と前記半導体層上の不純物半導体層とを有する薄膜積層体を形成し、
前記薄膜積層体を覆って第１の導電膜を形成し、
前記第１の導電膜上に第２の導電膜を形成し、
前記第２の導電膜上にエッチングマスクを形成し、
前記エッチングマスクを用いて前記第１の導電膜及び前記第２の導電膜をエッチングして、第２の導電層と前記第２の導電層上の第３の導電層とを形成し、
前記第３の導電層をサイドエッチングして、前記第２の導電層の一部を露出させつつ第４の導電層を形成し、
前記エッチングマスクと重畳していない部分の前記薄膜積層体に対してエッチングを行い、
前記エッチングマスクを除去し、
前記第１の絶縁層上、前記エッチングされた前記薄膜積層体上、前記第２の導電層上、及び前記第４の導電層上に第２の絶縁層を形成し、
前記第２の導電層の露出された部分と重畳するように、前記第２の絶縁層にコンタクト開口部を形成し、
前記第２の絶縁層上に、前記コンタクト開口部を介して前記第２の導電層の露出された前記部分と接続される第５の導電層を形成することを特徴とする半導体装置の作製方法。
【請求項２】
第１の導電層を覆って設けられた第１の絶縁層上に、第１の半導体層と、前記第１の半導体層上の第２の半導体層と、前記第２の半導体層上の不純物半導体層とを有する薄膜積層体を形成し、
前記薄膜積層体を覆って第１の導電膜を形成し、
前記第１の導電膜上に第２の導電膜を形成し、
前記第２の導電膜上にエッチングマスクを形成し、
前記エッチングマスクを用いて前記第１の導電膜及び前記第２の導電膜をエッチングして、第２の導電層と前記第２の導電層上の第３の導電層とを形成し、
前記第３の導電層をサイドエッチングして、前記第２の導電層の一部を露出させつつ第４の導電層を形成し、
前記エッチングマスクと重畳していない部分の前記薄膜積層体に対してエッチングを行って、少なくとも前記第１の半導体層を残存させ、且つ部分的に露出させ、
前記エッチングマスクを除去し、
前記第１の絶縁層上、前記エッチングされた前記薄膜積層体上、前記第２の導電層上、前記第４の導電層上に第２の絶縁層を形成し、
前記第２の導電層の露出された部分と重畳するように、前記第２の絶縁層にコンタクト開口部を形成し、
前記第２の絶縁層上に、前記コンタクト開口部を介して前記第２の導電層の露出された前記部分と接続される第５の導電層を形成することを特徴とする半導体装置の作製方法。
【請求項３】
請求項２において、
前記第１の半導体層は結晶性半導体層であり、
前記第２の半導体層は、非晶質半導体と微小半導体結晶粒とを有する半導体層であることを特徴とする半導体装置の作製方法。
【請求項４】
請求項１乃至３のいずれか一において、
前記エッチングマスクには、一画素につき複数の開口部が設けられていることを特徴とする半導体装置の作製方法。
【請求項５】
請求項４において、
前記複数の開口部が形成される部分の前記エッチングマスクの最大幅は、前記第４の導電層が形成される際のサイドエッチング幅の２倍より小さいことを特徴とする半導体装置の作製方法。
【請求項６】
請求項４または請求項５において、
前記エッチングマスクに設けられた前記複数の開口部のそれぞれの幅は、チャネル長と同じ大きさであることを特徴とする半導体装置の作製方法。
【請求項７】
請求項１乃至請求項６のいずれか一において、
前記第２の導電層はチタンを有し、
前記第４の導電層はアルミニウムを有することを特徴とする半導体装置の作製方法。
【請求項８】
請求項１乃至請求項７のいずれか一において、
前記第５の導電層は、インジウム錫酸化物、インジウム亜鉛酸化物、又は酸化シリコンが添加されたインジウム錫酸化物を有することを特徴とする半導体装置の作製方法。
【請求項９】
第１の導電層と、
前記第１の導電層を覆って設けられた第１の絶縁層と、
前記第１の絶縁層上の、半導体層と前記半導体層上の不純物半導体層とを有する薄膜積層体と、
少なくとも前記不純物半導体層に接して設けられた第２の導電層と、
前記第２の導電層上に部分的に設けられた第３の導電層と、
前記第２の導電層上及び前記第３導電層上に設けられ、コンタクト開口部を有する第２の絶縁層と、
前記第２の絶縁層上に設けられ、前記コンタクト開口部を介して前記第２の導電層と電気的に接続された第４の導電層と、を有し、
前記第３の導電層の側面から前記第２の導電層の側面までの距離は概略一定であり、
前記コンタクト開口部は、前記第２の導電層により設けられた格子形電極と重なるように設けられていることを特徴とする半導体装置。
【手続補正書】
【提出日】平成26年6月18日(2014.6.18)
【手続補正１】
【補正対象書類名】特許請求の範囲
【補正対象項目名】全文
【補正方法】変更
【補正の内容】
【特許請求の範囲】
【請求項１】
第１のトランジスタと、第２のトランジスタと、を有し、
前記第１のトランジスタのソース又はドレインの一方は、第１の導電層と電気的に接続され、
前記第２のトランジスタのソース又はドレインの一方は、第２の導電層と電気的に接続され、
前記第１のトランジスタのソース又はドレインの他方は、第３の導電層と電気的に接続され、
前記第２のトランジスタのソース又はドレインの他方は、前記第３の導電層と電気的に接続され、
前記第１の導電層は、第１の電位を伝達することができる機能を有し、
前記第２の導電層は、第２の電位を伝達することができる機能を有し、
前記第３の導電層は、第３の電位を伝達することができる機能を有し、
前記第３の電位は、前記第１の電位及び前記第２の電位よりも低く、
前記第１のトランジスタのチャネル形成領域と、前記第２のトランジスタのチャネル形成領域とは、同一の酸化物半導体膜に形成され、
前記酸化物半導体膜に設けられたコンタクトホールを介して、前記第３の導電層は、前記第１のトランジスタのゲート電極及び前記第２のトランジスタのゲート電極と電気的に接続されることを特徴とする半導体装置。
【請求項２】
請求項１において、
第３のトランジスタを有し、
前記第３のトランジスタは、前記第１の導電層と電気的に接続され、
前記第３のトランジスタのチャネル形成領域は、前記酸化物半導体膜に形成され、
前記酸化物半導体膜は、第１の開口部と、第２の開口部と、を有し、
前記第３のトランジスタのチャネル幅方向において、前記第３のトランジスタのチャネル形成領域は、前記第１の開口部と前記第２の開口部との間に設けられることを特徴とする半導体装置。